(57)【要約】【課題】室内熱交換器の洗浄をキャンセルすることが可能な空気調和機を提供する。【解決手段】空気調和機１００は、圧縮機３１、凝縮器、室外膨張弁３４、及び蒸発器を順次に介して、冷凍サイクルで冷媒が循環する冷媒回路Ｑと、リモコン又は携帯端末からの信号に基づき、少なくとも圧縮機３１及び室外膨張弁３４を制御する制御手段と、を備え、前記凝縮器及び前記蒸発器の一方は室外熱交換器３２であり、他方は室内熱交換器１２であり、前記制御手段は、室内熱交換器１２の凍結若しくは結露、又は暖房運転後の冷房運転を、前記信号に基づいてキャンセルする。【選択図】図３
2018189262.tif 000002
【特許請求の範囲】
【請求項１】
圧縮機、凝縮器、膨張弁、及び蒸発器を順次に介して、冷凍サイクルで冷媒が循環する冷媒回路と、
リモコン又は携帯端末からの信号に基づき、少なくとも前記圧縮機及び前記膨張弁を制御する制御手段と、を備え、
前記凝縮器及び前記蒸発器の一方は室外熱交換器であり、他方は室内熱交換器であり、
前記制御手段は、前記室内熱交換器の凍結若しくは結露、又は暖房運転後の冷房運転を、前記信号に基づいてキャンセルすること
を特徴とする空気調和機。
【請求項２】
前記室内熱交換器の凍結又は結露は、暖房運転、冷房運転、又は除湿運転の後に行われること
を特徴とする請求項１に記載の空気調和機。
【請求項３】
空調に関する所定の報知を行う報知手段を備え、
前記報知手段は、前記室内熱交換器の凍結若しくは結露、又は暖房運転後の冷房運転の処理を開始する前に、当該処理を行う旨の報知を行うこと
を特徴とする請求項１に記載の空気調和機。
【請求項４】
空調に関する所定の報知を行う報知手段を備え、
前記報知手段は、前記室内熱交換器の凍結若しくは結露、又は暖房運転後の冷房運転の処理を行っているとき、当該処理を行っている旨の報知を行うこと
を特徴とする請求項１に記載の空気調和機。
【請求項５】
前記報知手段は、前記室内熱交換器が収容されている室内機から所定の報知音を発生させる報知音発生部を有し、
所定の時間帯において前記報知音発生部は、前記報知を行うための報知音を発生させないこと
を特徴とする請求項３又は請求項４に記載の空気調和機。
【請求項６】
前記報知手段は、前記室内熱交換器が収容されている室内機、前記リモコン、又は前記携帯端末で所定の表示を行うことによって、前記報知を行うこと
を特徴とする請求項３又は請求項４に記載の空気調和機。
【請求項７】
前記報知手段は、前記室内熱交換器が収容されている室内機の上下風向板を開くことによって、前記報知を行うこと
を特徴とする請求項３又は請求項４に記載の空気調和機。
【請求項８】
前記制御手段は、前記報知手段による前記報知が開始されてから所定時間が経過するまでに、前記リモコン又は前記携帯端末から所定のキャンセル指令を受信した場合、前記処理を行わないこと
を特徴とする請求項３に記載の空気調和機。
【請求項９】
前記室内熱交換器の凍結若しくは結露、又は暖房運転後の冷房運転の処理を開始してから所定時間が経過する前に、前記リモコン又は前記携帯端末から当該処理のキャンセル指令を受信した場合、前記制御手段は、当該処理を中止すること
を特徴とする請求項１に記載の空気調和機。
【請求項１０】
前記室内熱交換器の凍結若しくは結露、又は暖房運転後の冷房運転の処理を開始してから所定時間が経過した後に、前記リモコン又は前記携帯端末から当該処理のキャンセル指令を受信した場合、前記制御手段は、前記室内熱交換器の乾燥を行い、
前記乾燥は、前記室内熱交換器に空気を送り込む室内ファンの駆動、又は、前記室内熱交換器を凝縮器として機能させることによって行われること
を特徴とする請求項１に記載の空気調和機。
【請求項１１】
前記キャンセル指令の受信後であって前記室内熱交換器の乾燥中、前記リモコン又は前記携帯端末から所定のキャンセル指令を再び受信した場合、前記制御手段は、前記室内熱交換器の乾燥を中止すること
を特徴とする請求項１０に記載の空気調和機。
【請求項１２】
前記室内熱交換器の凍結若しくは結露、又は暖房運転後の冷房運転を含む洗浄処理中、前記リモコン又は前記携帯端末から空調運転の運転指令を受信した場合、前記制御手段は、前記洗浄処理を中止し、さらに、前記洗浄処理を中止してから所定時間が経過した後、前記運転指令に基づく空調運転を開始すること
を特徴とする請求項１に記載の空気調和機。
【請求項１３】
前記室内熱交換器の凍結若しくは結露、又は暖房運転後の冷房運転を含む洗浄処理を、前記リモコン又は前記携帯端末からのキャンセル指令に基づいて中止してから所定時間が経過する前に、前記リモコン又は前記携帯端末から空調運転の運転指令を受信した場合、前記制御手段は、前記所定時間が経過した後、前記運転指令に基づく空調運転を開始すること
を特徴とする請求項１に記載の空気調和機。
【請求項１４】
前記制御手段は、前記室内熱交換器を凍結又は結露させているときの冷媒の蒸発温度を、除湿運転における冷媒の蒸発温度よりも低くすること
を特徴とする請求項１に記載の空気調和機。
【請求項１５】
前記制御手段は、前記室内熱交換器を凍結又は結露させているときの冷媒の蒸発温度を氷点下とすること
を特徴とする請求項１に記載の空気調和機。
【発明の詳細な説明】
【技術分野】
【０００１】
本発明は、空気調和機に関する。
【背景技術】
【０００２】
空気調和機の室内熱交換器を清潔な状態にする技術として、例えば、特許文献１には、「暖房運転後に、前記フィン表面に水を付着させる水分付与手段を備える」空気調和機について記載されている。なお、前記した水付与手段は、暖房運転後に冷房運転を行うことによって、室内熱交換器のフィン表面に水を付着させる。
【先行技術文献】
【特許文献】
【０００３】
【特許文献１】特許第４９３１５６６号公報
【発明の概要】
【発明が解決しようとする課題】
【０００４】
しかしながら、特許文献１には、水分付与手段の処理をキャンセルする機能については記載されていない。なお、水分付与手段の処理中には、空気調和機の駆動音が発生したり、室内に冷風が吹き出されたりする可能性がある。したがって、水分付与手段による処理がユーザの意図に反して行われることを回避することが望ましい。
【０００５】
そこで、本発明は、室内熱交換器の洗浄をキャンセルすることが可能な空気調和機を提供することを課題とする。
【課題を解決するための手段】
【０００６】
前記課題を解決するために、本発明は、制御手段が、室内熱交換器の凍結若しくは結露、又は暖房運転後の冷房運転を、リモコン又は携帯端末からの信号に基づいてキャンセルすることを特徴とする。
なお、室内熱交換器の凍結等（洗浄）の「キャンセル」とは、凍結等を行う前のキャンセルの他、凍結等を行っているときのキャンセル（中止）も含まれる。
【発明の効果】
【０００７】
本発明によれば、室内熱交換器の洗浄をキャンセルすることが可能な空気調和機を提供できる。
【図面の簡単な説明】
【０００８】
【図１】本発明の第１実施形態に係る空気調和機が備える室内機、室外機、及びリモコンの正面図である。
【図２】本発明の第１実施形態に係る空気調和機が備える室内機の縦断面図である。
【図３】本発明の第１実施形態に係る空気調和機の冷媒回路を示す説明図である。
【図４】本発明の第１実施形態に係る空気調和機の機能ブロック図である。
【図５】本発明の第１実施形態に係る空気調和機の制御部が実行する処理のフローチャートである。
【図６】本発明の第１実施形態に係る空気調和機において、洗浄処理を開始する際の制御部の処理を示すフローチャートである。
【図７】本発明の第２実施形態に係る空気調和機において、洗浄処理中における制御部の処理を示すフローチャートである。
【図８】本発明の第３実施形態に係る空気調和機において、洗浄処理中又は洗浄処理後における制御部の処理を示すフローチャートである。
【発明を実施するための形態】
【０００９】
≪第１実施形態≫
＜空気調和機の構成＞
図１は、第１実施形態に係る空気調和機１００が備える室内機１０、室外機３０、及びリモコン４０の正面図である。
空気調和機１００は、冷凍サイクル（ヒートポンプサイクル）で冷媒を循環させることによって、空調を行う機器である。図１に示すように、空気調和機１００は、室内（被空調空間）に設置される室内機１０と、屋外に設置される室外機３０と、ユーザによって操作されるリモコン４０と、を備えている。
【００１０】
室内機１０は、通信部１１を備えている。この通信部１１は、赤外線通信等によって、リモコン４０との間で所定の通信を行う。例えば、通信部１１は、運転／停止指令、設定温度の変更、運転モードの変更、タイマの設定等の信号をリモコン４０から受信する。また、通信部１１は、室内温度の検出値等をリモコン４０に送信する。なお、通信部１１は、携帯電話、スマートフォン、タブレット等の携帯端末５０（図４参照）との間で通信を行うことも可能である。
【００１１】
また、図１では省略しているが、室内機１０と室外機３０とは冷媒配管を介して接続されるとともに、通信線を介して接続されている。
【００１２】
図２は、室内機１０の縦断面図である。
室内機１０は、前記した通信部１１（図１参照）の他に、室内熱交換器１２と、ドレンパン１３と、室内ファン１４と、筐体ベース１５と、フィルタ１６，１６と、前面パネル１７と、左右風向板１８と、上下風向板１９と、を備えている。
【００１３】
室内熱交換器１２は、伝熱管１２ａを通流する冷媒と、室内空気と、の熱交換が行われる熱交換器である。
ドレンパン１３は、室内熱交換器１２から滴り落ちる水を受けるものであり、室内熱交換器１２の下側に配置されている。なお、ドレンパン１３に落下した水は、ドレンホース（図示せず）を介して外部に排出される。
【００１４】
室内ファン１４は、例えば、円筒状のクロスフローファンであり、室内ファンモータ１４ａ（図４参照）によって駆動する。
筐体ベース１５は、室内熱交換器１２や室内ファン１４等の機器が設置される筐体である。
【００１５】
フィルタ１６，１６は、空気吸込口ｈ１等を介して取り込まれる空気から塵埃を除去するものであり、室内熱交換器１２の上側・前側に設置されている。
前面パネル１７は、前側のフィルタ１６を覆うように設置されるパネルであり、下端を軸として前側に回動可能になっている。なお、前面パネル１７が回動しない構成であってもよい。
【００１６】
左右風向板１８は、室内に向けて吹き出される空気の通流方向を、左右方向において調整する板状部材である。左右風向板１８は、室内ファン１４の下流側に配置され、左右風向板用モータ２３（図４参照）によって左右方向に回動するようになっている。
上下風向板１９は、室内に向けて吹き出される空気の通流方向を、上下方向において調整する板状部材である。上下風向板１９は、室内ファン１４の下流側に配置され、上下風向板用モータ２４（図４参照）によって上下方向に回動するようになっている。
【００１７】
空気吸込口ｈ１を介して吸い込まれた空気は、伝熱管１２ａを通流する冷媒と熱交換し、熱交換した空気が吹出風路ｈ２に導かれる。そして、吹出風路ｈ２を通流する空気は、左右風向板１８及び上下風向板１９によって所定方向に導かれ、さらに、空気吹出口ｈ３を介して室内に吹き出される。
【００１８】
図３は、空気調和機１００の冷媒回路Ｑを示す説明図である。
なお、図３の実線矢印は、暖房運転時における冷媒の流れを示している。
また、図３の破線矢印は、冷房運転時における冷媒の流れを示している。
図３に示すように、室外機３０は、圧縮機３１と、室外熱交換器３２と、室外ファン３３と、室外膨張弁３４（膨張弁）と、四方弁３５と、を備えている。
【００１９】
圧縮機３１は、圧縮機モータ３１ａの駆動によって、低温低圧のガス冷媒を圧縮し、高温高圧のガス冷媒として吐出する機器である。
室外熱交換器３２は、その伝熱管（図示せず）を通流する冷媒と、室外ファン３３から送り込まれる外気と、の間で熱交換が行われる熱交換器である。
【００２０】
室外ファン３３は、室外ファンモータ３３ａによって、室外熱交換器３２に外気を送り込むファンであり、室外熱交換器３２の付近に設置されている。
室外膨張弁３４は、「凝縮器」（室外熱交換器３２及び室内熱交換器１２の一方）で凝縮した冷媒を減圧する機能を有している。なお、室外膨張弁３４において減圧された冷媒は、「蒸発器」（室外熱交換器３２及び室内熱交換器１２の他方）に導かれる。
【００２１】
四方弁３５は、空気調和機１００の運転モードに応じて、冷媒の流路を切り替える弁である。すなわち、冷房運転時（図３の破線矢印を参照）には、圧縮機３１、室外熱交換器３２（凝縮器）、室外膨張弁３４、及び室内熱交換器１２（蒸発器）が、四方弁３５を介して環状に順次接続されてなる冷媒回路Ｑにおいて、冷凍サイクルで冷媒が循環する。
【００２２】
また、暖房運転時（図３の実線矢印を参照）には、圧縮機３１、室内熱交換器１２（凝縮器）、室外膨張弁３４、及び室外熱交換器３２（蒸発器）が、四方弁３５を介して環状に順次接続されてなる冷媒回路Ｑにおいて、冷凍サイクルで冷媒が循環する。
【００２３】
すなわち、冷媒回路Ｑにおいて、前記した「凝縮器」及び「蒸発器」の一方は室外熱交換器３２であり、他方は室内熱交換器１２である。
【００２４】
図４は、空気調和機１００の機能ブロック図である。
室内機１０は、前記した構成の他に、環境検出部２１と、室内制御回路２２と、報知音発生部２５（報知手段）と、表示ランプ２６（報知手段）と、を備えている。
【００２５】
環境検出部２１は、室内（被空調空間）の状態を検出する機能を有し、室内温度センサ２１ａ等を備えている。
室内温度センサ２１ａは、室内の温度を検出するセンサである。室内温度センサ２１ａを含む各センサの検出値は、室内制御回路２２に出力される。
【００２６】
室内制御回路２２は、図示はしないが、ＣＰＵ（Central Processing Unit）、ＲＯＭ（Read Only Memory）、ＲＡＭ（Random Access Memory）、各種インタフェース等の電子回路を含んで構成されている。そして、ＲＯＭに記憶されたプログラムを読み出してＲＡＭに展開し、ＣＰＵが各種処理を実行するようになっている。
【００２７】
図４に示すように、室内制御回路２２は、記憶部２２ａと、室内制御部２２ｂと、を備えている。
記憶部２２ａには、所定のプログラムの他、環境検出部２１の検出結果や、通信部１１を介して受信したデータ等が記憶される。
室内制御部２２ｂは、記憶部２２ａに記憶されているデータに基づいて、所定の制御を実行する。なお、室内制御部２２ｂが実行する処理については後記する。
【００２８】
報知音発生部２５は、室内熱交換器１２が収容されている室内機１０から所定の報知音を発生させる機能を有している。すなわち、報知音発生部２５は、ブザーや音声といった報知音を発生させることによって、空調に関する所定の報知を行う。
表示ランプ２６は、例えば、ＬＥＤ（Light Emitting Diode）であり、所定の色で点灯（又は点滅）することによって、空調に関する所定の報知を行う。
なお、報知音発生部２５が発生する音や、表示ランプ２６の色は、報知内容に対応付けて、予め記憶部２２ａに記憶されている。
【００２９】
図４に示す室外機３０は、前記した構成の他に、室外制御回路３６を備えている。
室外制御回路３６は、図示はしないが、ＣＰＵ、ＲＯＭ、ＲＡＭ、各種インタフェース等の電子回路を含んで構成され、通信線を介して室内制御回路２２に接続されている。図４に示すように、室外制御回路３６は、記憶部３６ａと、室外制御部３６ｂと、を備えている。
【００３０】
記憶部３６ａには、所定のプログラムや、室内制御回路２２から受信したデータの他、複数のセンサ（図４では図示を省略している外気温度センサ、圧縮機３１の吸入圧力センサ、吐出圧力センサ、吐出温度センサ等）の検出値が記憶される。
室外制御部３６ｂは、記憶部３６ａに記憶されているデータに基づいて、圧縮機モータ３１ａ、室外ファンモータ３３ａ、室外膨張弁３４等を制御する。
【００３１】
以下では、室内制御回路２２及び室外制御回路３６を「制御部Ｋ」（制御手段）という。制御部Ｋは、リモコン４０又は携帯端末５０からの信号に基づき、圧縮機３１（図３参照）や室外膨張弁３４等を制御する機能を有している。
【００３２】
次に、室内熱交換器１２を洗浄するための処理について説明する。
前記したように、室内熱交換器１２（図２参照）の上側・前側（空気の吸込側）には、塵や埃を捕集するためのフィルタ１６が設置されている。しかしながら、細かい塵や埃がフィルタ１６を通り抜けて室内熱交換器１２に付着することがあるため、室内熱交換器１２を定期的に洗浄することが望まれる。そこで、本実施形態では、室内機１０に取り込まれた空気に含まれる水分を室内熱交換器１２で凍結させ、その後、室内熱交換器１２の氷を溶かすようにしている。これによって、室内熱交換器１２に付着した塵や埃が洗い流されるため、室内熱交換器１２が洗浄される。このような一連の処理を、室内熱交換器１２の「洗浄処理」という。
【００３３】
図５は、空気調和機１００の制御部Ｋが実行する処理のフローチャートである（適宜、図３、図４を参照）。なお、図５の「ＳＴＡＲＴ」時までは、所定の空調運転（冷房運転、暖房運転等）が行われていたものとする。
また、室内熱交換器１２の洗浄処理の開始条件が、図５の「ＳＴＡＲＴ」時に成立したものとする。この「開始条件」とは、例えば、前回の洗浄処理の終了時から空調運転の実行時間を積算した値が所定値に達したという条件である。
【００３４】
ステップＳ１０１において制御部Ｋは、空調運転を所定時間（例えば、数分間）停止させる。前記した所定時間は、冷凍サイクルを安定させるための時間であり、予め設定されている。例えば、「ＳＴＡＲＴ」時まで行われていた暖房運転を中断して、室内熱交換器１２を凍結させる際（Ｓ１０２）、制御部Ｋは、暖房運転時とは逆向き（冷房運転時と同様の向き）に冷媒が流れるように四方弁３５を制御する。ここで、仮に、冷媒の流れる向きを急に変えると、圧縮機３１に過負荷がかかり、また、冷凍サイクルの不安定化を招く可能性がある。そこで、本実施形態では、室内熱交換器１２の凍結（Ｓ１０２）に先立って所定時間、空調運転を停止させるようにしている（Ｓ１０１）。
【００３５】
なお、冷房運転を中断して室内熱交換器１２を凍結させる場合には、ステップＳ１０１の処理を省略してもよい。冷房運転中（図５の「ＳＴＡＲＴ」時）に冷媒が流れる向きと、室内熱交換器１２の凍結中（Ｓ１０２）に冷媒が流れる向きと、は同じだからである。
【００３６】
次に、ステップＳ１０２において制御部Ｋは、室内熱交換器１２を凍結させる。すなわち、制御部Ｋは、室外熱交換器３２を凝縮器として機能させ、室内熱交換器１２を蒸発器として機能させる。これによって、室内機１０に取り込まれた空気に含まれる水分を室内熱交換器１２で凍結させることができる。
【００３７】
室内熱交換器１２を凍結させているときには、圧縮機３１の回転速度が適宜に調整され、また、室内熱交換器１２の温度が所定範囲に収まるように室外膨張弁３４の開度が調整される。前記した「所定範囲」とは、室内機１０に取り込まれた空気に含まれる水分が、室内熱交換器１２で凍結し得る範囲であり、予め設定されている。
【００３８】
なお、室内熱交換器１２を凍結させているとき（つまり、所定の凍結時間が経過するまで）、制御部Ｋは、室内ファン１４を停止させてもよいし、また、室内ファン１４を駆動させてもよい。
【００３９】
ステップＳ１０３において制御部Ｋは、室内熱交換器１２を解凍する。例えば、制御部Ｋは、室内熱交換器１２を凝縮器として機能させ、室外熱交換器３２を蒸発器として機能させる。これによって、凝縮器である室内熱交換器１２を介して高温の冷媒が流れるため、室内熱交換器１２の氷が溶ける。その結果、室内熱交換器１２に付着していた塵や埃が洗い流される。そして、塵や埃を含む水がドレンパン１３（図２参照）に落下し、ドレンホース（図示せず）を介して外部に排出される。
なお、室内熱交換器１２の解凍中、制御部Ｋが室内ファン１４を駆動させるようにしてもよい。これによって、室内熱交換器１２（凝縮器）の温度が高くなり過ぎることを抑制できる。
【００４０】
また、制御部Ｋが送風運転を行ったり、圧縮機３１や室内ファン１４を含む機器の停止状態を継続させたりすることで、室内熱交換器１２を解凍するようにしてもよい（Ｓ１０３）。制御部Ｋが室内熱交換器１２を凝縮器として機能させずとも、室内熱交換器１２の氷が室温で自然に解凍するからである。これによって、室内熱交換器１２の解凍に要する消費電力を低減できる。
【００４１】
ステップＳ１０４において制御部Ｋは、室内熱交換器１２を乾燥させる。例えば、制御部Ｋは、室内熱交換器１２を凝縮器として機能させ、室外熱交換器３２を蒸発器として機能させる。このように、暖房運転時と同様の制御を行うことで、室内熱交換器１２に付着した水分が蒸発するため、防菌・防黴の効果が奏される。ステップＳ１０４の処理を行った後、制御部Ｋは、一連の「洗浄処理」を終了する（ＥＮＤ）。
【００４２】
なお、制御部Ｋが送風運転（つまり、室内熱交換器１２に空気を送り込む室内ファン１４の駆動）を行うことで、室内熱交換器１２を乾燥させるようにしてもよい（Ｓ１０４）。次に、室内熱交換器１２の洗浄処理を開始する際の動作について詳細に説明する。
【００４３】
図６は、洗浄処理を開始する際の制御部Ｋの処理を示すフローチャートである（適宜、図３、図４を参照）。
ステップＳ２０１において制御部Ｋは、洗浄処理の開始条件が成立したか否かを判定する。前記したように、「洗浄処理の開始条件」とは、例えば、前回の洗浄処理の終了時から空調運転の時間を積算した値が所定値に達したという条件である。ステップＳ２０１において洗浄処理の開始条件が成立した場合（Ｓ２０１：Ｙｅｓ）、制御部Ｋの処理はステップＳ２０２に進む。一方、洗浄処理の開始条件が成立していない場合（Ｓ２０１：Ｎｏ）、制御部Ｋは一連の処理を終了する（ＥＮＤ）。
【００４４】
ステップＳ２０２において制御部Ｋは、報知音発生部２５によって所定の報知音を発生させ、また、表示ランプ２６を点灯させる。すなわち、制御部Ｋは、室内熱交換器１２の凍結等の洗浄処理を開始する前に、この洗浄処理を行う旨を、報知音発生部２５及び表示ランプ２６によって報知する。これによって、洗浄処理が開始されることをユーザに対して事前に報知できる。
【００４５】
次に、ステップＳ２０３において制御部Ｋは、室内熱交換器１２の洗浄処理を開始するまでの遅延時間（つまり、待機時間）を設定する。この遅延時間（例えば、数秒〜数十秒）は、ステップＳ２０２において洗浄処理を開始する旨をユーザに事前に報知してから、実際に洗浄運転を開始するまでの時間であり、予め設定されている。
【００４６】
ステップＳ２０４において制御部Ｋは、洗浄処理を開始する旨をユーザに事前に報知（Ｓ２０２）してから、所定の遅延時間が経過したか否かを判定する。所定の遅延時間が経過した場合（Ｓ２０４：Ｙｅｓ）、制御部Ｋの処理はステップＳ２０５に進む。この遅延時間が経過するまでの間、表示ランプ２６の点灯等（Ｓ２０２）を継続するようにしてもよい。
ステップＳ２０５において制御部Ｋは、室内熱交換器１２の洗浄処理（図５のＳ１０１〜Ｓ１０４）を実行する。
【００４７】
一方、ステップＳ２０４において所定の遅延時間が経過していない場合（Ｓ２０４：Ｎｏ）、制御部Ｋの処理はステップＳ２０６に進む。
ステップＳ２０６において制御部Ｋは、リモコン４０又は携帯端末５０の操作によって、洗浄処理のキャンセル指令があったか否かを判定する。洗浄処理のキャンセル指令がない場合（Ｓ２０６：Ｎｏ）、制御部Ｋの処理はステップＳ２０４に戻る。一方、洗浄処理のキャンセル指令があった場合（Ｓ２０４：Ｙｅｓ）、制御部Ｋの処理はステップＳ２０７に進む。
【００４８】
ステップＳ２０７において制御部Ｋは、報知音発生部２５によって所定の報知音を発生させ、また、表示ランプ２６を点灯させる。これによって、リモコン４０等の操作に応じて洗浄運転が実際にキャンセルされることをユーザに報知できる。
【００４９】
なお、前記した報知音等（Ｓ２０７）は、洗浄処理を事前に報知するための報知音等（Ｓ２０２）とは別種類のものであることが望ましい。これによって、洗浄処理が実際にキャンセルされることを、ユーザにわかりやすく報知できるからである。
【００５０】
次に、ステップＳ２０８において制御部Ｋは、室内熱交換器１２の洗浄処理をキャンセルする。すなわち、制御部Ｋは、室内熱交換器１２の凍結を含む洗浄処理を、リモコン４０又は携帯端末５０からの信号に基づいてキャンセルする。さらに詳しく説明すると、洗浄処理前の報知（Ｓ２０２）が開始されてから所定の遅延時間（所定時間）が経過するまでに、リモコン４０又は携帯端末５０から所定のキャンセル指令を受信した場合（Ｓ２０４：Ｎｏ、Ｓ２０６：Ｙｅｓ）、制御部Ｋは、室内熱交換器１２の凍結を含む洗浄処理を行わない（Ｓ２０８）。これによって、制御部Ｋは、室内熱交換器１２の洗浄処理をユーザの意図に沿って、適切にキャンセルできる。そして、ステップＳ２０８の処理を行った後、制御部Ｋは一連の処理を終了する（ＥＮＤ）。
【００５１】
＜効果＞
第１実施形態によれば、制御部Ｋは、室内熱交換器１２の洗浄処理に先立って、洗浄処理を行う旨を報知する（Ｓ２０２）。これによって、その後に洗浄処理が行われることを、ユーザに対して事前に報知できる。
【００５２】
また、洗浄処理の事前の報知（Ｓ２０２）から所定の遅延時間が経過するまでにキャンセル指令があった場合（Ｓ２０４：Ｎｏ、Ｓ２０６：Ｙｅｓ）、制御部Ｋは、洗浄処理をキャンセルする（Ｓ２０８）。これによって、ユーザの意図に反して洗浄処理が行われることを回避できる。言い換えると、室内熱交換器１２の洗浄処理を、ユーザの意図に沿って行うことができる。
【００５３】
≪第２実施形態≫
第２実施形態は、室内熱交換器１２（図２参照）の洗浄処理中にキャンセル指令があった場合の処理について説明している点が、第１実施形態とは異なっている。なお、その他の点（図１〜図４に示す空気調和機１００の構成、図５に示す洗浄処理のフローチャート）については、第１実施形態と同様である。したがって、第１実施形態とは異なる部分について説明し、重複する部分については説明を省略する。
【００５４】
図７は、洗浄処理中における制御部Ｋの処理を示すフローチャートである（適宜、図３、図４を参照）。
ステップＳ３０１において制御部Ｋは、現時点で洗浄処理を行っているか否かを判定する。なお、洗浄処理については、第１実施形態（図５参照）で説明したとおりである。
【００５５】
なお、図７では省略しているが、室内熱交換器１２の凍結を含む洗浄処理を行っているとき、制御部Ｋが、洗浄処理中であることを報知音発生部２５や表示ランプ２６によって報知するようにしてもよい。これによって、室内熱交換器１２の洗浄処理が行われていることをユーザが把握しやすくなる。そして、例えば、洗浄処理の継続をユーザが希望しない場合には、リモコン４０等の操作によって、所定のキャンセル指令が室内機１０に送信される。
【００５６】
図７のステップＳ３０１において現時点で洗浄処理中である場合（Ｓ３０１：Ｙｅｓ）、制御部Ｋの処理はステップＳ３０２に進む。一方、現時点では洗浄処理を行っていない場合（Ｓ３０１：Ｎｏ）、制御部Ｋは処理を終了する（ＥＮＤ）。
【００５７】
ステップ３０２において制御部Ｋは、リモコン４０又は携帯端末５０の操作によって、洗浄処理のキャンセル指令があったか否かを判定する。洗浄処理のキャンセル指令がない場合（Ｓ３０２：Ｎｏ）、制御部Ｋは洗浄処理を継続した後、一連の処理を終了する（ＥＮＤ）。一方、洗浄処理のキャンセル指令があった場合（Ｓ３０２：Ｙｅｓ）、制御部Ｋの処理はステップＳ３０３に進む。
【００５８】
次に、ステップＳ３０３において制御部Ｋは、室内熱交換器１２の凍結開始時から所定時間が経過したか否かを判定する。この「所定時間」（例えば、数分間）は、蒸発器として機能する室内熱交換器１２が十分に冷やされる（空気に含まれる水分が、室内熱交換器１２で凍る程度に冷やされる）までの時間であり、予め設定されている。
【００５９】
ステップＳ３０３において室内熱交換器１２の凍結開始時から所定時間が経過した場合（Ｓ３０３：Ｙｅｓ）、制御部Ｋの処理はステップＳ３０４に進む。具体的に説明すると、室内熱交換器１２の凍結が進んでいる場合の他、室内熱交換器１２の解凍（図５のＳ１０３）や乾燥（図５のＳ１０４）が行われているとき、制御部Ｋの処理はステップＳ３０４に進む。
【００６０】
ステップＳ３０４において制御部Ｋは、報知音発生部２５によって所定の報知音を発生させ、また、表示ランプ２６を点灯させる。これによって、後記するように、洗浄処理のキャンセル指令があったものの（Ｓ３０２：Ｙｅｓ）、敢えて洗浄処理（Ｓ３０５の「乾燥」）を継続する旨をユーザに報知できる。
【００６１】
次に、ステップＳ３０５において制御部Ｋは、室内熱交換器１２を乾燥させる。例えば、凍結中に所定時間以上が経過している場合には（Ｓ３０３：Ｙｅｓ）、室内熱交換器１２の表面に氷が付着している可能性がある。この氷が室温で溶けた後の水を蒸発させ、さらに乾燥させることで（Ｓ３０５）、防菌・防黴の効果が奏される。
また、室内熱交換器１２の解凍中には（Ｓ３０３：Ｙｅｓ）、室内熱交換器１２の氷が溶けて、その一部はドレンパン１３（図２参照）に滴り落ち、残りは室内熱交換器１２に付着する。このように付着した水を乾燥させることで（Ｓ３０５）、防菌・防黴の効果が奏される。
また、室内熱交換器１２の乾燥中には（Ｓ３０３：Ｙｅｓ）、その乾燥を継続させて（Ｓ３０５）、室内熱交換器１２を清潔な状態にするようにしている。
【００６２】
このように、室内熱交換器１２の凍結を含む洗浄処理を開始してから所定時間が経過した後に（Ｓ３０３：Ｙｅｓ）、リモコン４０又は携帯端末５０から洗浄処理のキャンセル指令を受信した場合（Ｓ３０２：Ｙｅｓ）、制御部Ｋは、室内熱交換器１２を乾燥させる（Ｓ３０５）。
【００６３】
なお、ステップＳ３０５の処理内容については、第１実施形態で説明したステップＳ１０４（図５参照）と同様である。その一例を挙げると、制御部Ｋは、暖房運転を行う（室内熱交換器１２を凝縮器として機能させる）ことで、室内熱交換器１２を乾燥させる。
【００６４】
次に、ステップＳ３０６において制御部Ｋは、再度のキャンセル指令があったか否かを判定する。すなわち、制御部Ｋは、キャンセル指令の受信後であって室内熱交換器１２の乾燥中、リモコン４０又は携帯端末５０から所定のキャンセル指令を再び受信したか否かを判定する。
【００６５】
ステップＳ３０６において再度のキャンセル指令がない場合（Ｓ３０６：Ｎｏ）、制御部Ｋの処理はステップＳ３０５に戻る。この場合には、室内熱交換器１２の乾燥がそのまま継続される。
一方、ステップＳ３０６において再度のキャンセル指令があった場合（Ｓ３０６：Ｙｅｓ）、制御部Ｋの処理はステップＳ３０７に進む。
【００６６】
ステップＳ３０７において制御部Ｋは、報知音発生部２５によって所定の報知音を発生させ、また、表示ランプ２６を点灯させる。これによって、洗浄処理のキャンセル指令に応じて実際に洗浄処理（つまり、室内熱交換器１２の乾燥）が中止される（Ｓ３０８）ことをユーザに報知できる。
【００６７】
ステップＳ３０８において制御部Ｋは、室内熱交換器１２の乾燥を中止する。これによって、室内熱交換器１２の乾燥中であっても、その処理を中止させたいというユーザの意図を適切に反映できる。ステップＳ３０８の処理を行った後、制御部Ｋは一連の処理を終了する（ＥＮＤ）。
【００６８】
また、ステップＳ３０３において室内熱交換器１２の凍結開始時から所定時間が経過していない場合（Ｓ３０３：Ｎｏ）、制御部Ｋの処理はステップＳ３０９に進む。
ステップＳ３０９において制御部Ｋは、報知音発生部２５によって所定の報知音を発生させ、また、表示ランプ２６を点灯させる。これによって、室内熱交換器１２の凍結を中止（Ｓ３１０）する旨をユーザに報知できる。
【００６９】
ステップＳ３１０において制御部Ｋは、室内熱交換器１２の凍結を中止する。この場合には、室内熱交換器１２には氷がほとんど付着していないため、室内熱交換器１２の凍結を中止しても支障が生じるおそれはない。つまり、室内熱交換器１２の表面に多量の水分が付着して菌や黴が発生するおそれは、ほとんどない。
【００７０】
このように、室内熱交換器１２の凍結を開始してから所定時間が経過する前に（Ｓ３０３：Ｎｏ）、リモコン４０又は携帯端末５０から、前記した凍結のキャンセル指令を受信した場合（Ｓ３０２：Ｙｅｓ）、制御部Ｋは、その凍結を中止する（Ｓ３１０）。ステップＳ３１０の処理を行った後、制御部Ｋは一連の処理を終了する（ＥＮＤ）。
【００７１】
＜効果＞
第２実施形態によれば、室内熱交換器１２の洗浄処理中にキャンセル指令を受信した場合において（Ｓ３０２：Ｙｅｓ）、凍結開始時から所定時間が経過したとき（Ｓ３０３：Ｙｅｓ）、制御部Ｋは、室内熱交換器１２の乾燥を敢えて実行する（Ｓ３０５）。これによって、室内熱交換器１２の表面に多量の水が付着することが防止し、防菌・防黴の効果が奏される。
【００７２】
また、室内熱交換器１２の乾燥中に再度のキャンセル指令があった場合（Ｓ３０６：Ｙｅｓ）、制御部Ｋは、室内熱交換器１２の乾燥を中止する（Ｓ３０８）。これによって、室内熱交換器１２の乾燥中であっても、その処理を中止させたいというユーザの意図を適切に反映できる。
【００７３】
また、室内熱交換器１２の洗浄処理中にキャンセル指令を受信した場合において（Ｓ３０２：Ｙｅｓ）、凍結開始時から所定時間が経過していない場合（Ｓ３０３：Ｎｏ）、制御部Ｋは、室内熱交換器１２の凍結を中止する（Ｓ３１０）。これによって、洗浄処理（凍結）をキャンセルしたいというユーザの意図を適切に反映できる。
【００７４】
≪第３実施形態≫
第３実施形態は、室内熱交換器１２の洗浄処理中に空調運転の運転指令を受信した場合の処理について説明している点が、第１実施形態とは異なっている。なお、その他の点（図１〜図４に示す空気調和機１００の構成、図５に示す洗浄処理のフローチャート）については、第１実施形態と同様である。したがって、第１実施形態とは異なる部分について説明し、重複する部分については説明を省略する。
【００７５】
図８は、洗浄処理中又は洗浄処理後における制御部Ｋの処理を示すフローチャートである（適宜、図３、図４を参照）。
ステップＳ４０１において制御部Ｋは、室内熱交換器１２の洗浄処理中に、リモコン４０又は携帯端末５０から、空調運転（暖房運転、冷房運転等）の運転指令を受信したか否かを判定する。洗浄処理中に空調運転の運転指令を受信した場合（Ｓ４０１：Ｙｅｓ）、制御部Ｋの処理はステップＳ４０３に進む。この場合には、室内熱交換器１２で凍結した氷がその後に溶けたり、解凍後の水が室内熱交換器１２に付着していたりする可能性がある。一方、洗浄処理中に空調運転の運転指令を受信していない場合（Ｓ４０１：Ｎｏ）、制御部Ｋの処理はステップＳ４０２に進む。
【００７６】
ステップＳ４０２において制御部Ｋは、室内熱交換器１２の洗浄処理のキャンセル時から所定時間内に、空調運転の運転指令を受信したか否かを判定する。洗浄処理のキャンセル時から所定時間内に運転指令を受信していない場合（Ｓ４０２：Ｎｏ）、制御部Ｋは、一連の処理を終了する（ＥＮＤ）。
【００７７】
一方、洗浄処理のキャンセル時から所定時間内に運転指令を受信した場合（Ｓ４０２：Ｙｅｓ）、制御部Ｋの処理はステップＳ４０３に進む。この場合には、洗浄処理が途中で中止されているため、室内熱交換器１２で凍結した氷がその後に溶けて、室内熱交換器１２の表面が濡れている可能性がある。
【００７８】
ステップＳ４０３において制御部Ｋは、報知音発生部２５によって所定の報知音を発生させ、また、表示ランプ２６を点灯させる。これによって、空調運転の運転指令を受信した旨をユーザに報知できる。
【００７９】
ステップＳ４０４において制御部Ｋは、室内熱交換器１２の洗浄処理を停止（又は中止）させる。つまり、制御部Ｋは、圧縮機３１や室内ファン１４を含む各機器を停止させる。
ステップＳ４０５において制御部Ｋは、洗浄処理の停止時（又は中止時）から所定時間が経過したか否かを判定する。この「所定時間」は、各機器の停止状態を継続させることで、室内熱交換器１２を乾燥させる（その表面に付着した水分を蒸発させる）のに要する時間であり、予め設定されている。
【００８０】
ステップＳ４０５において洗浄処理の停止時から所定時間が経過した場合（Ｓ４０５：Ｙｅｓ）、制御部Ｋの処理はステップＳ４０６に進む。一方、洗浄処理の停止時から所定時間が経過していない場合（Ｓ４０５：Ｎｏ）、制御部Ｋの処理はステップＳ４０４に戻る。
【００８１】
ステップＳ４０６において制御部Ｋは、室内熱交換器１２の乾燥を行うための実行時間をセットする。例えば、制御部Ｋは、室内熱交換器１２を乾燥させるために、暖房運転又は送風運転の実行時間をセットする。
【００８２】
ステップＳ４０７において制御部Ｋは、室内熱交換器１２の乾燥を実行する。例えば、制御部Ｋは、暖房運転又は送風運転を行うことで室内熱交換器１２を乾燥させる。なお、暖房運転を行い、さらにその後に送風運転を行うことで室内熱交換器１２を乾燥させてもよい。
【００８３】
ステップＳ４０８において制御部Ｋは、室内熱交換器１２の乾燥の開始時から所定の実行時間（Ｓ４０６で設定）が経過したか否かを判定する。所定の実行時間が経過した場合（Ｓ４０８：Ｙｅｓ）、制御部Ｋの処理はステップＳ４０９に進む。この場合には、室内熱交換器１２を含めて、室内機１０の内部が十分に乾燥されている。
一方、室内熱交換器１２の乾燥の開始時から所定の実行時間が経過していない場合（Ｓ４０８：Ｎｏ）、制御部Ｋの処理はステップＳ４０７に戻る。
【００８４】
そして、ステップＳ４０９において制御部Ｋは、ステップＳ４０１又はＳ４０２で受信した運転指令に基づいて、所定の空調運転を実行する。ステップＳ４０９の処理を行った後、制御部Ｋは一連の処理を終了する（ＥＮＤ）。
【００８５】
＜効果＞
第３実施形態によれば、室内熱交換器１２の洗浄処理中又はそのキャンセル時から所定時間内に運転指令を受信した場合（Ｓ４０１又はＳ４０２：Ｙｅｓ）、制御部Ｋは、洗浄処理の停止及び室内熱交換器１２の乾燥を順次に行った後（Ｓ４０４〜Ｓ４０８）、空調運転を実行する（Ｓ４０９）。これによって、室内熱交換器１２が濡れている状態で空調運転の運転指令を受信した場合でも、室内機１０の内部を十分に乾燥させた上で空調運転を実行できる。
【００８６】
≪変形例≫
以上、本発明に係る空気調和機１００について各実施形態で説明したが、本発明はこれらの記載に限定されるものではなく、種々の変更を行うことができる。
例えば、各実施形態では、「洗浄処理」として、室内熱交換器１２の凍結・解凍・乾燥が順次に行われる場合について説明したが（図５のＳ１０２〜Ｓ１０４）、これに限らない。例えば、室内熱交換器１２の解凍・乾燥のうち一方又は両方を省略してもよい。この場合でも、室内熱交換器１２が室温で自然に解凍され、その水によって室内熱交換器１２が洗浄されるからである。また、各機器の停止状態の継続や、その後の空調運転等によって、室内熱交換器１２が乾燥するからである。
【００８７】
また、各実施形態では、室内熱交換器１２を凍結させることによって、室内熱交換器１２を洗浄する処理について説明したが、これに限らない。例えば、室内熱交換器１２を結露させることによって、室内熱交換器１２を洗浄するようにしてもよい。この場合において制御部Ｋは、通常の冷房運転や除湿運転よりも、冷媒の蒸発温度が低くなるようにする。具体的に説明すると、制御部Ｋは、室内温度センサ２１ａ（図４参照）の検出値と、湿度センサ（図示せず）の検出値と、に基づいて、室内空気の露点を算出する。そして、制御部Ｋは、室内熱交換器１２の温度が、前記した露点以下であり、かつ、所定の凍結温度よりも高くなるように、室外膨張弁３４の開度等を調整する。
なお、前記した「凍結温度」とは、室内空気の温度を低下させたとき、室内空気に含まれる水分が、室内熱交換器１２で凍結し始める温度である。このように室内熱交換器１２を結露させることで、その結露水によって室内熱交換器１２を洗浄できる。
【００８８】
そして、室内熱交換器１２を結露させた後、制御部Ｋが、室内熱交換器１２を乾燥させるようにしてもよい。すなわち、室内熱交換器１２を結露させた場合において制御部Ｋは、室内熱交換器１２を凝縮器として機能させるか、又は、送風運転を実行することで、室内熱交換器１２を乾燥させる。
【００８９】
また、制御部Ｋが、室内熱交換器１２の凍結若しくは結露を、暖房運転、冷房運転、又は除湿運転の後に行うようにしてもよい。これによって、暖房運転、冷房運転、除湿運転等の空調運転後に室内熱交換器１２を洗浄できる。
【００９０】
また、室内熱交換器１２の凍結や結露の他、暖房運転後に冷房運転を行うことで、室内熱交換器１２を洗浄するようにしてもよい。これによって、冷媒で冷やされた室内熱交換器１２に水分が付着し、この水分によって室内熱交換器１２が洗い流される。
【００９１】
なお、室内熱交換器１２の結露や、暖房運転後の冷房運転によって、室内熱交換器１２を洗浄するという事項は、各実施形態に適用できる。具体的には、図５のステップＳ１０２（凍結）及びステップＳ１０３（解凍）の処理に代えて、室内熱交換器１２の結露、又は（暖房運転後の）冷房運転を行うようにすればよい。
【００９２】
また、各実施形態では、室内機１０の表示ランプ２６等（図４参照）によって、空調に関する所定の報知を行う処理について説明したが、これに限らない。例えば、前記した報知を行うためのディスプレイ（図示せず）を室内機１０に設け、このディスプレイに所定の絵柄や文字等を表示するようにしてもよい。また、リモコン４０（図４参照）又は携帯端末５０（図４参照）を用いて、所定の報知を行うようにしてもよい。すなわち、「報知手段」が、室内機１０、リモコン４０、又は携帯端末５０で所定の表示を行うことによって、空調に関する所定の報知を行うようにしてもよい。
【００９３】
また、各実施形態では、報知音発生部２５及び表示ランプ２６によって、空調運転に関する所定の報知を行う場合について説明したが、これに限らない。例えば、報知音発生部２５及び表示ランプ２６のうち一方を用いて所定の報知を行ってもよいし、また、報知の処理を適宜に省略してもよい。
【００９４】
また、所定の時間帯において、報知音発生部２５が報知音を発生させないようにしてもよい。例えば、夜間の時間帯には報知音を発生させないことで、ユーザの快適性が損なわれることを防止できる。
【００９５】
その他、室内熱交換器１２が収容されている室内機１０の上下風向板１９（図２参照）を開くことによって、凍結を含む洗浄処理がなされていることを報知するようにしてもよい。この場合において制御部Ｋは、上下風向板１９を水平よりも上向きにすることが好ましい。これによって、冷風がユーザに直接あたることを防止できる。
【００９６】
また、第３実施形態（図８参照）では、室内熱交換器１２を乾燥させるために、制御部ＫがステップＳ４０６〜Ｓ４０８の各処理を行う場合について説明したが、これらの処理を省略してもよい。例えば、室内熱交換器１２の凍結（若しくは結露、又は暖房運転後の冷房運転）を含む洗浄処理中、リモコン４０又は携帯端末５０から空調運転の運転指令を受信した場合（図８のＳ４０１：Ｙｅｓ）、制御部Ｋは、洗浄処理を中止（停止）する（Ｓ４０４）。そして、制御部Ｋは、洗浄処理を中止してから所定時間が経過した後、運転指令に基づく空調運転を開始する。洗浄処理を中止して各機器を停止させている間に、室内熱交換器１２の氷が自然に解凍し、その水が蒸発する。これによって、室内熱交換器１２の解凍・乾燥を行うことができる。
【００９７】
また、例えば、室内熱交換器１２の凍結（若しくは結露、又は暖房運転後の冷房運転）を含む洗浄処理を、リモコン４０又は携帯端末５０からのキャンセル指令に基づいて中止してから所定時間が経過する前に、リモコン４０又は携帯端末５０から空調運転の運転指令を受信したとき（図８のＳ４０２：Ｙｅｓ）、制御部Ｋが次の処理を行うようにしてもよい。すなわち、制御部Ｋが、洗浄処理を中止してから前記所定時間が経過した後、運転指令に基づく空調運転を開始するようにしてもよい。洗浄処理を中止して各機器を停止させている間に、室内熱交換器１２の氷が自然に解凍し、その水が蒸発するからである。
【００９８】
また、第３実施形態において、ステップＳ４０１又はＳ４０２の条件が成立した場合であっても、制御部Ｋが受信した運転指令が暖房運転の指令であるときには、ステップＳ４０６〜Ｓ４０８の処理（室内熱交換器１２の乾燥）を省略してもよい。その後の暖房運転によって、室内熱交換器１２が乾燥するからである。
【００９９】
また、制御部Ｋが、室内熱交換器１２を凍結又は結露させているときの冷媒の蒸発温度を、除湿運転における冷媒の蒸発温度よりも低くするようにしてもよい。また、制御部Ｋが、室内熱交換器１２を凍結又は結露させているときの冷媒の蒸発温度を氷点下とするようにしてもよい。このような制御を行うことで、室内熱交換器１２の凍結又は結露によって、室内熱交換器１２に多くの水分（氷や露）が付着する。その結果、室内熱交換器１２に付着した水分によって、室内熱交換器１２を効果的に洗浄できる。
【０１００】
また、各実施形態では、室内機１０（図３参照）及び室外機３０（図３参照）が一台ずつ設けられる構成について説明したが、これに限らない。すなわち、並列接続された複数台の室内機を設けてもよいし、また、並列接続された複数台の室外機を設けてもよい。
【０１０１】
また、各実施形態は本発明を分かりやすく説明するために詳細に記載したものであり、必ずしも説明した全ての構成を備えるものに限定されない。また、各実施形態の構成の一部について、他の構成の追加・削除・置換をすることが可能である。
また、前記した機構や構成は説明上必要と考えられるものを示しており、製品上必ずしも全ての機構や構成を示しているとは限らない。
【符号の説明】
【０１０２】
１００  空気調和機
１０    室内機
１１    通信部
１２    室内熱交換器（蒸発器／凝縮器）
１４    室内ファン
１８    左右風向板
１９    上下風向板
２３    左右風向板用モータ
２４    上下風向板用モータ（報知手段）
２５    報知音発生部（報知手段）
２６    表示ランプ（報知手段）
３０    室外機
３１    圧縮機
３２    室外熱交換器（凝縮器／蒸発器）
３３    室外ファン
３４    室外膨張弁（膨張弁）
３５    四方弁
４０    リモコン
５０    携帯端末
Ｋ      制御部（制御手段）
Ｑ      冷媒回路
【図１】
2018189262.tif 000003
【図２】
2018189262.tif 000004
【図３】
2018189262.tif 000005
【図４】
2018189262.tif 000006
【図５】
2018189262.tif 000007
【図６】
2018189262.tif 000008
【図７】
2018189262.tif 000009
【図８】
2018189262.tif 000010
【手続補正書】
【提出日】平成29年10月6日(2017.10.6)
【手続補正１】
【補正対象書類名】特許請求の範囲
【補正対象項目名】請求項１
【補正方法】変更
【補正の内容】
【請求項１】
圧縮機、凝縮器、膨張弁、及び蒸発器を順次に介して、冷凍サイクルで冷媒が循環する冷媒回路と、
少なくとも前記圧縮機及び前記膨張弁を制御する制御手段と、を備え、
前記凝縮器及び前記蒸発器の一方は室外熱交換器であり、他方は室内熱交換器であり、
前記制御手段は、前記室内熱交換器の凍結若しくは結露、又は暖房運転後の冷房運転を、リモコン又は携帯端末からの信号に基づいてキャンセルすること
を特徴とする空気調和機。
【手続補正書】
【提出日】平成29年11月28日(2017.11.28)
【手続補正１】
【補正対象書類名】特許請求の範囲
【補正対象項目名】全文
【補正方法】変更
【補正の内容】
【特許請求の範囲】
【請求項１】
圧縮機、凝縮器、膨張弁、及び蒸発器を冷媒が循環する冷媒回路と、
少なくとも前記圧縮機及び前記膨張弁を制御する制御手段と、
所定の報知を行う報知手段と、を備え、
前記凝縮器及び前記蒸発器の一方は室外熱交換器であり、他方は室内熱交換器であり、
前記報知手段は、前記室内熱交換器の凍結の処理を開始する前に、当該処理を行う旨の報知を行い、
前記制御手段は、前記報知手段による前記報知が開始されてから所定時間が経過するまでにリモコン又は携帯端末から所定のキャンセル指令を受信した場合、前記処理の開始を行わないこと
を特徴とする空気調和機。
【請求項２】
圧縮機、凝縮器、膨張弁、及び蒸発器を冷媒が循環する冷媒回路と、
少なくとも前記圧縮機及び前記膨張弁を制御する制御手段と、を備え、
前記凝縮器及び前記蒸発器の一方は室外熱交換器であり、他方は室内熱交換器であり、
前記制御手段は、前記室内熱交換器の凍結の処理を開始してから所定時間が経過した後に、リモコン又は携帯端末から当該処理のキャンセル指令を受信した場合、前記室内熱交換器の乾燥を行い、
前記乾燥は、前記室内熱交換器に空気を送り込む室内ファンの駆動によって行われること
を特徴とする空気調和機。
【請求項３】
前記処理に関する所定の報知を行う報知手段をさらに備えること
を特徴とする請求項２に記載の空気調和機。
【請求項４】
前記制御手段は、前記室内熱交換器の前記乾燥として、暖房運転を行うこと
を特徴とする請求項２に記載の空気調和機。
【請求項５】
前記室内熱交換器の凍結は、暖房運転、冷房運転、又は除湿運転の後に行われること
を特徴とする請求項１又は請求項２に記載の空気調和機。
【請求項６】
前記報知手段は、前記室内熱交換器の凍結の処理を行っているとき、当該処理を行っている旨の報知を行うこと
を特徴とする請求項１又は請求項３に記載の空気調和機。
【請求項７】
前記報知手段は、前記室内熱交換器が収容されている室内機から所定の報知音を発生させる報知音発生部を有し、
所定の時間帯において前記報知音発生部は、前記報知を行うための報知音を発生させないこと
を特徴とする請求項１又は請求項３に記載の空気調和機。
【請求項８】
前記報知手段は、前記室内熱交換器が収容されている室内機、前記リモコン、又は前記携帯端末で所定の表示を行うことによって、前記報知を行うこと
を特徴とする請求項１又は請求項３に記載の空気調和機。
【請求項９】
前記報知手段は、前記室内熱交換器が収容されている室内機の上下風向板を開くことによって、前記報知を行うこと
を特徴とする請求項１又は請求項３に記載の空気調和機。
【請求項１０】
前記室内熱交換器の凍結の処理を開始してから所定時間が経過する前に、前記リモコン又は前記携帯端末から当該処理のキャンセル指令を受信した場合、前記制御手段は、当該処理を中止すること
を特徴とする請求項１又は請求項２に記載の空気調和機。
【請求項１１】
前記キャンセル指令の受信後であって前記室内熱交換器の乾燥中、前記リモコン又は前記携帯端末から所定のキャンセル指令を再び受信した場合、前記制御手段は、前記室内熱交換器の乾燥を中止すること
を特徴とする請求項２に記載の空気調和機。
【請求項１２】
前記室内熱交換器の凍結を含む洗浄処理中、前記リモコン又は前記携帯端末から空調運転の運転指令を受信した場合、前記制御手段は、前記洗浄処理を中止し、さらに、前記洗浄処理を中止してから所定時間が経過した後、前記運転指令に基づく空調運転を開始すること
を特徴とする請求項１又は請求項２に記載の空気調和機。
【請求項１３】
前記室内熱交換器の凍結を含む洗浄処理を、前記リモコン又は前記携帯端末からのキャンセル指令に基づいて中止してから所定時間が経過する前に、前記リモコン又は前記携帯端末から空調運転の運転指令を受信した場合、前記制御手段は、前記所定時間が経過した後、前記運転指令に基づく空調運転を開始すること
を特徴とする請求項１又は請求項２に記載の空気調和機。
【請求項１４】
前記制御手段は、前記室内熱交換器を凍結させているときの冷媒の蒸発温度を、除湿運転における冷媒の蒸発温度よりも低くすること
を特徴とする請求項１又は請求項２に記載の空気調和機。
【請求項１５】
前記制御手段は、前記室内熱交換器を凍結させているときの冷媒の蒸発温度を氷点下とすること
を特徴とする請求項１又は請求項２に記載の空気調和機。 
【手続補正２】
【補正対象書類名】明細書
【補正対象項目名】０００６
【補正方法】変更
【補正の内容】
【０００６】
前記課題を解決するために、本発明は、報知手段が、室内熱交換器の凍結の処理を開始する前に、当該処理を行う旨の報知を行い、制御手段が、前記報知手段による前記報知が開始されてから所定時間が経過するまでにリモコン又は携帯端末から所定のキャンセル指令を受信した場合、前記処理の開始を行わないことを特徴とする。
また、本発明は、制御手段が、室内熱交換器の凍結の処理を開始してから所定時間が経過した後に、リモコン又は携帯端末から当該処理のキャンセル指令を受信した場合、前記室内熱交換器の乾燥を行い、前記乾燥は、前記室内熱交換器に空気を送り込む室内ファンの駆動によって行われることを特徴とする。
なお、室内熱交換器の凍結等（洗浄）の「キャンセル」とは、凍結等を行う前のキャンセルの他、凍結等を行っているときのキャンセル（中止）も含まれる。